(57)【要約】【課題】送風手段の送風能力を考慮し、遊技者に対し、特定の遊技状態が発生したことを強いインパクトをもって認識させることができる遊技機を提供すること。【解決手段】遊技機は、所定条件を満たしたとき、遊技者に対し送風する送風手段６を作動させる。送風手段６の空気取入口９aには、空気取入口９aを開閉する遮蔽部材１１が設けられる。遮蔽部材１１は、送風手段６の作動開始から送風手段６の送風能力が所定レベルに増大するまでの期間、空気取入口９aを閉鎖し、かつ、期間が経過した後、空気取入口９aを間欠的に開放する。【選択図】図３
2008043595.tif 000002
【特許請求の範囲】
【請求項１】
所定条件を満たしたとき、遊技者に対し送風する送風手段を作動させる遊技機において、
前記送風手段の空気取入口に、該空気取入口を開閉する遮蔽部材を設け、該遮蔽部材は、前記送風手段の作動開始から該送風手段の送風能力が所定レベルに増大するまでの期間、前記空気取入口を閉鎖し、かつ、前記期間が経過した後、前記空気取入口を開放することを特徴とする遊技機。
【請求項２】
所定条件を満たしたとき、遊技者に対し送風する送風手段を作動させる遊技機において、
前記送風手段の空気取入口を開閉する遮蔽部材と、該遮蔽部材を駆動する駆動手段とを設け、
前記遮蔽部材は、
前記送風手段の非作動時かつ前記駆動手段の非作動時には、前記空気取入口を開放状態に保ち、また、
前記送風手段の作動時かつ前記駆動手段の非作動時には、前記送風手段から吸引力を受け前記空気取入口を閉鎖状態に保ち、また、
前記送風手段の作動時かつ前記駆動手段の作動時には、該駆動手段から駆動力を受け前記空気取入口を開放状態に保つよう構成され、
前記送風手段が作動開始した後、該送風手段の送風能力が所定レベルに増大するまでの間、前記駆動手段は非作動状態に保たれ、前記送風手段の送風能力が前記所定レベルに増大した後に、前記駆動手段を作動状態に切替える
ことを特徴とする遊技機。
【請求項３】
前記送風手段の作動開始から、該送風手段の送風能力が所定レベルに増大した後、前記空気取入口を間欠的に開放することを特徴とする請求項１又は２に記載の遊技機。
【発明の詳細な説明】
【技術分野】
【０００１】
本発明は、パチンコ遊技機、スロットマシンなど遊技機に関する。
【背景技術】
【０００２】
従来から、特定の遊技状態が発生したことを遊技者に報知するために、遊技球を発射させる際に操作される発射ハンドル又は発射ハンドルの周囲から遊技者の手に向けて空気を連続的又は間欠的に吹き出させる送風手段を備え、送風手段から吹き出される風の圧力を手で感じ取らせることによって遊技者に対し特定の遊技状態が発生したことを認識させる遊技機が提案されている（例えば、特許文献１−３参照）。
【特許文献１】特開２００３−１１７０８５公報
【特許文献２】特開２００４−１０５２４２公報
【特許文献３】特開２００５−１６０８２７公報
【発明の開示】
【発明が解決しようとする課題】
【０００３】
しかし、上記従来の遊技機は、送風手段の送風能力を問題としていないため、通常、送風手段が作動を開始してから送風手段の送風能力が最大レベルに達するまでの間、遊技者の手は、圧力が徐々に増大してゆく風を感じ取ることとなり、遊技者に対し、特定の遊技状態が発生したことを強いインパクトをもって認識させることに欠けるという問題がある。
【０００４】
本発明は、上記のような従来技術の問題点を解決し、送風手段の送風能力を考慮し、遊技者に対し、特定の遊技状態が発生したことを強いインパクトをもって認識させることができる遊技機を提供することを目的とする。
【課題を解決するための手段】
【０００５】
本発明の第１の遊技機は、所定条件を満たしたとき、遊技者に対し送風する送風手段を作動させる遊技機において、前記送風手段の空気取入口に、該空気取入口を開閉する遮蔽部材を設け、該遮蔽部材は、前記送風手段の作動開始から該送風手段の送風能力が所定レベルに増大するまでの期間、前記空気取入口を閉鎖し、かつ、前記期間が経過した後、前記空気取入口を開放することを特徴とする。
【０００６】
本発明の第１の遊技機によると、送風手段が作動開始してから送風手段の送風能力が所定レベルまで増大するまでの期間、空気取入口が閉鎖され、送風手段が空気を取り込めないことから遊技者に対する送風は行われず、その後、送風手段の送風能力が所定レベルまで増大すると、空気取入口が開放され、送風手段に空気が取り込まれることから遊技者に対して送風が行われるようになる。このため、遊技者が送風を始めて感じ取るときの風力は十分に大きく、遊技者はこの大きな風力の送風を急激に受けることとなり、所定条件が満たされたこと、つまり、大当たり予告、リーチなど特定の遊技状態が発生したことを強いインパクトをもって認識することができるようになる。
【０００７】
また、本発明の第２の遊技機は、所定条件を満たしたとき、遊技者に対し送風する送風手段を作動させる遊技機において、前記送風手段の空気取入口を開閉する遮蔽部材と、該遮蔽部材を駆動する駆動手段とを設け、前記遮蔽部材は、前記送風手段の非作動時かつ前記駆動手段の非作動時には、前記空気取入口を開放状態に保ち、また、前記送風手段の作動時かつ前記駆動手段の非作動時には、前記送風手段から吸引力を受け前記空気取入口を閉鎖状態に保ち、また、前記送風手段の作動時かつ前記駆動手段の作動時には、該駆動手段から駆動力を受け前記空気取入口を開放状態に保つよう構成され、前記送風手段が作動開始した後、該送風手段の送風能力が所定レベルに増大するまでの間、前記駆動手段は非作動状態に保たれ、前記送風手段の送風能力が前記所定レベルに増大した後に、前記駆動手段を作動状態に切替えることを特徴とする。
【０００８】
本発明の第２の遊技機によると、第１の遊技機と同様、遊技者が送風を始めて感じ取るときの風力は十分に大きく、遊技者はこの大きな風力の送風を急激に受けることとなり、所定条件が満たされたこと、つまり、大当たり、予告リーチなど特定の遊技状態が発生したことを強いインパクトをもって認識することができるようになる。
【０００９】
また、送風手段の空気取入口に遮蔽部材を配し、駆動手段が非作動状態のときは送風手段の吸引力を利用して遮蔽部材を作動させ、空気取入口を閉鎖状態に保つようにしているため、駆動手段側に、空気取入口を閉鎖状態に保つよう遮蔽部材を作動させるための何らかの特別な手段を設けなくて済み、部品点数の減少及び駆動手段の小型化を図ることができる。
【００１０】
ここで、前記送風手段の作動開始から、該送風手段の送風能力が所定レベルに増大した後、前記空気取入口を間欠的に開放するようにすると、風力の大きな風が間欠的に遊技者に送風されることから、所定条件が満たされたこと、つまり、大当たり予告、リーチなど特定の遊技状態が発生したことをさらに強いインパクトをもって認識することができるようになる。
【発明を実施するための最良の形態】
【００１１】
以下、本発明の実施形態を図面に基づいて説明する。
【００１２】
図１は、本発明の一実施形態に係るパチンコ遊技機の要部正面図、図２は、一実施形態に係る送風手段及び遮蔽部材の構成図、図３は、同実施形態において、送風手段が作動開始し送風手段の送風能力が所定レベルに達した後における送風手段及び開放状態にある遮蔽部材の構成図、図４は、駆動手段の内部構成を含む要部の側面図、図５は、送風制御フローチャートをそれぞれ示す。
【００１３】
図１〜図４において、パチンコ遊技機の前面枠１の正面下部右端部には、遊技球を遊技盤２の遊技領域３に発射させるために遊技者によって操作される発射ハンドル４が設けられている。
【００１４】
前面枠１には、図２に示すように、発射ハンドル４が取り付けられる発射ハンドル取付孔５と、この発射ハンドル取付孔５の近傍で、送風手段６の送風ダクト７が取り付けられるダクト取付孔８とが形成されている。
【００１５】
送風手段６は、送風ファン９と送風ダクト７とを備え、送風ファン９は、前面枠１の後面側に配設された取付板１０の上面に固定される。送風ファン９の上面は空気取入口９aを構成している。送風ファン９の一実施例としてブロアファンを使用する。
【００１６】
取付板１０の上面には、電動アクチュエータ例えば電磁ソレノイド１２が配設される。電磁ソレノイド１２は、図４に示すように、コイル１２aと、コイル１２aの外周に配され、磁路を形成するヨーク１２bと、コイル１２aの中空部の下部に固定された固定鉄心１２cと、磁性材料からなり、コイル１２aの中空部において固定鉄心１２cより上方で昇降自在な可動ロッド１２dとを備える。可動ロッド１２dの上端は大径部１２eにより構成され、大径部１２eの下方に小径部１２fが延設されている。
【００１７】
送風ファン９の空気取入口９aの上方と、電磁ソレノイド１２の可動ロッド１２dの上端部との間に長板状の遮蔽部材１１が配される。遮蔽部材１１の長手方向中央部は、通常時、送風ファン９のケース上面９bのコーナー部９cによって支持される。遮蔽部材１１の一端部１１aには、係止溝１１bが形成され、この係止溝１１bに可動ロッド１２dの小径部１２fが挿通されている。この係止溝１１bの巾寸法は、可動ロッド１２dの大径部１２eよりも小さく設定され、可動ロッド１２dの小径部１２fは、係止溝１１b内に係留される。遮蔽部材１１の下面において、送風ファン９のコーナー部９cとの当接部位よりも電磁ソレノイド１２寄りの部位には、錘板１１cが設けられており、遮蔽部材１１は、通常時、図４に実線で示すように、送風ファン９のケース上面９bに対して傾斜した状態に保持され、遮蔽部材１１の蓋部１１dは、送風ファン９の空気取入口９aを開放している。遮蔽部材１１の巾方向位置は、送風ファン９のケース上面９bに設けられた一対のガイド部９dによって規制されている。
【００１８】
次に、送風制御方法を図５のフローチャートに基づいて説明する。
【００１９】
まず、送風ファン９を作動させるための所定条件が充足されたか否かを判断する（ステップS1）。ここで、所定条件とは、遊技中に遊技者に積極的に遊技状態の変化を知らせたい場合が発生したことであり、例えば、特定の遊技状態例えば大当たり、予告リーチなどが発生したことを挙げることができる。上記所定条件が充足されていないときは、電磁ソレノイド１２はオフ状態に維持され、遮蔽部材１１は、図４において実線で示すように、また、図３に示すように、送風ファン９の空気取入口９aを開放している。
【００２０】
上記所定条件が充足されるようになると、送風ファン９を作動開始する（ステップS2）。送風ファン９が作動開始されると、送風ファン９の空気取入口９aから空気が取り込まれるようになり、遮蔽部材１１の蓋部１１dに対してこの吸入空気に起因する負圧が作用する。このとき、遮蔽部材１１の一端部１１aと係合している可動ロッド１２dは、コイル１２aの中空部内において自由に上昇可能な状態にあるため、遮蔽部材１１の蓋部１１dに吸引力が作用すると、遮蔽部材は、瞬時に、図４において二点鎖線で示す状態、及び、図２に示す状態、つまり、可動ロッド１２dが上昇し、ケース上面９bのコーナー部９cを支点として遮蔽部材１１の一端部１１aが上昇しかつ蓋部１１dが送風ファン９の空気取入口９aを閉鎖する状態へと変位する。このため、送風ファン９は回転を継続するが、送風ファン９には空気取入口９aから空気が取り入れられないため、送風ダクト７から風は吹き出されない。したがって、発射ハンドル４を操作している遊技者の手に風が当たることはない。
【００２１】
その後、送風ファン９の作動開始から所定時間が経過したか否かを判断する（ステップS3）。ここで、所定時間とは、送風ファン９が作動開始してから送風ファン９の送風能力が所定レベルに達するまでの時間、換言すると、送風ファン９が作動開始してから送風ファン９が発生する風の風力が所定レベルに達するまでの時間である。
【００２２】
送風ファン９の作動開始から所定時間が経過し（ステップS3）、送風ファン９の送風能力が所定レベルまで達すると、電磁ソレノイド１２のコイル１２aへの通電を開始し、電磁ソレノイド１２を作動開始する。コイル１２aへの通電が開始されると、コイル１２aに磁界が発生して固定鉄心１２cが磁化され、遮蔽部材１１の蓋部１１dに作用する送風ファン９の吸引力に打ち勝つだけの磁気吸引力が固定鉄心１２cから可動ロッド１２dに作用し可動ロッド１２dは下降する。この可動ロッド１２dの下降に伴い、遮蔽部材１１の一端部１１aは、ケース上面９bのコーナー部９cを支点として回動、下降し、この遮蔽部材１１の一端部１１aの下降に伴い、遮蔽部材１１の蓋部１１dは、ケース上面９bのコーナー部９cを支点として回動、上昇し、送風ファン９の空気取入口９aから離間する（ステップS4）。遮蔽部材１１の上記変位動作により、送風ファン９に空気取入口９aから空気が直ちに取り入れられるようになり、送風ファン９が風を発生し、送風ダクト７から風が吹き出され、発射ハンドル４を操作している遊技者の手に急激に当たるようになる。この手に当たる風は、送風能力が所定レベルに達した後に送風ファン９が発生する風であり、風力が大きい。このため、遊技者は、この風をしっかり感じ取ることができ、遊技状態が変化したことを容易に認識できるようになる。
【００２３】
その後、遮蔽部材１１の蓋部１１dの開放開始から所定時間が経過すると（ステップS5）、電磁ソレノイド１２の作動を停止して可動ロッド１２dに対する磁気吸引力を解除する。これにより、直ちに、送風ファン９の負圧が遮蔽部材１１の蓋部１１dに作用し、蓋部１１dは空気取入口９aを閉鎖するようになり、送風ダクト７から風が吹き出されないようになる（ステップS6）。
【００２４】
そして、遮蔽部材１１の開放回数を示すカウント値Nを「１」だけ加算する（ステップS7）。ここで、Nの初期値は予め「０」に予め設定されている。次に、Nが所定値N0に達したか否かを判定する（ステップS8）。
【００２５】
Nが所定値N0に達するまでの間は、遮蔽部材１１が閉鎖開始から所定時間が経過するたびに（ステップS9）、ステップS4に戻って遮蔽部材１１を開放し、遮蔽部材１１の開放開始から所定時間が経過するたびに（ステップS5）、遮蔽部材１１を閉鎖する処理（ステップS6）を繰り返し、送風ダクト７から風力の大きな風を間欠的に吹き出させる。この間欠的に吹き出される風は、送風ファン９の送風能力が所定レベルに達した後に吹き出される風であり、大きな風力を有している。このため、遊技者は、断続的に風力の大きな風を受けることとなり、風力の大きな風を連続的に受ける場合と比べ、より強いインパクトで風を感じ取るようになる。
【００２６】
そして、Nが所定値N0に達したとき、Nを「０」にリセットし（ステップS10）、また、送風ファン９を作動停止し（ステップS11）、送風制御を終了する。
【００２７】
以上説明したように、本実施形態のパチンコ遊技機は、所定条件を満たしたとき、遊技者に対し送風する送風手段６を作動させる遊技機において、送風手段６の空気取入口９aに、空気取入口９aを開閉する遮蔽部材１１を設け、遮蔽部材１１は、送風手段６の作動開始から送風手段６の送風能力が所定レベルに増大するまでの期間、空気取入口９aを閉鎖し、かつ、期間が経過した後、空気取入口９aを間欠的に開放する。
【００２８】
本実施形態のパチンコ遊技機によると、送風手段６が作動開始してから送風手段６の送風能力が所定レベルまで増大するまでの期間、空気取入口９aが閉鎖され、送風手段９aが空気を取り込めないことから遊技者に対する送風は行われず、その後、送風手段６の送風能力が所定レベルまで増大すると、空気取入口９aが開放され、送風手段６に空気が取り込まれることから遊技者に対して送風が行われるようになる。このため、遊技者が送風を始めて感じ取るときの風力は十分に大きく、遊技者はこの大きな風力の送風を急激に受けることとなり、さらに、風力の大きな風が間欠的に遊技者に送風されることから、所定条件が満たされたこと、つまり、大当たり予告リーチなど特定の遊技状態が発生したことを強いインパクトをもって認識することができるようになる。
【００２９】
また、本実施形態のパチンコ遊技機は、所定条件を満たしたとき、遊技者に対し送風する送風手段６を作動させる遊技機において、送風手段６の空気取入口９aを開閉する遮蔽部材１１と、遮蔽部材１１を駆動する電磁ソレノイド１２（駆動手段）とを設け、遮蔽部材１１は、送風手段６の非作動時かつ電磁ソレノイド１２の非作動時には、空気取入口９aを開放状態に保ち、また、送風手段６の作動時かつ電磁ソレノイド１２の非作動時には、送風手段６から吸引力を受け空気取入口９aを閉鎖状態に保ち、また、送風手段６の作動時かつ電磁ソレノイド１２の作動時には、電磁ソレノイド１２から磁気吸引力（駆動力）を受け空気取入口９aを開放状態に保つよう構成され、送風手段６が作動開始した後、送風手段６の送風能力が所定レベルに増大するまでの間、電磁ソレノイド１２は非作動状態に保たれ、送風手段６の送風能力が所定レベルに増大した後は、電磁ソレノイド１２は作動状態及び非作動状態に交互に切替えられる。
【００３０】
このパチンコ遊技機によると、送風手段６の空気取入口９aに遮蔽部材１１を配し、電磁ソレノイド１２が非作動状態のときは送風手段６の吸引力を利用して遮蔽部材１１を作動させ、空気取入口９aを閉鎖状態に保つようにしているため、電磁ソレノイド１２側に、空気取入口９aを閉鎖状態に保つよう遮蔽部材１１を作動させるための何らかの特別な手段を設けなくて済み、部品点数の減少及び電磁ソレノイドの小型化を図ることができる。
【図面の簡単な説明】
【００３１】
【図１】本発明の一実施形態に係るパチンコ遊技機の要部正面図である。
【図２】一実施形態に係る送風手段及び遮蔽部材の構成図である。
【図３】同実施形態において、送風手段が作動開始し送風手段の送風能力が所定レベルに達した後における送風手段及び開放状態にある遮蔽部材の構成図である。
【図４】駆動手段の内部構成を含む要部の側面図である。
【図５】送風制御フローチャートである。
【符号の説明】
【００３２】
６    送風手段
９a    空気取入口
１１    遮蔽部材
１２    電磁ソレノイド（駆動手段）
【図１】
2008043595.tif 000003
【図２】
2008043595.tif 000004
【図３】
2008043595.tif 000005
【図４】
2008043595.tif 000006
【図５】
2008043595.tif 000007